(57)【要約】【課題】取込み庫に収納される取込み紙幣の管理を容易にするための技術が提供されることが望まれる。【解決手段】入金時に返却された入金返却紙幣、入金時にリジェクトされた入金リジェクト紙幣または出金時に排出される出金紙幣を収納する入出金部と、前記入金返却紙幣、前記入金リジェクト紙幣または前記出金紙幣のうち前記入出金部から取り出されなかった取忘れ紙幣を収納可能な取込み庫と、前記入出金部から取り出されなかった前記取忘れ紙幣が有る場合、前記取忘れ紙幣に不明券が有るか否かを判定し、前記取忘れ紙幣に不明券が無い場合、前記取忘れ紙幣を前記取込み庫に搬送させる制御部と、を備える、自動取引装置が提供される。【選択図】図１
2019139632.tif 000002
【特許請求の範囲】
【請求項１】
入金時に返却された入金返却紙幣、入金時にリジェクトされた入金リジェクト紙幣または出金時に排出される出金紙幣を収納する入出金部と、
前記入金返却紙幣、前記入金リジェクト紙幣または前記出金紙幣のうち前記入出金部から取り出されなかった取忘れ紙幣を収納可能な取込み庫と、
前記入出金部から取り出されなかった前記取忘れ紙幣が有る場合、前記取忘れ紙幣に不明券が有るか否かを判定し、前記取忘れ紙幣に不明券が無い場合、前記取忘れ紙幣を前記取込み庫に搬送させる制御部と、
を備える、自動取引装置。
【請求項２】
前記制御部は、前記取忘れ紙幣に不明券が有る場合、所定の障害発生時処理の実行を制御する、
請求項１に記載の自動取引装置。
【請求項３】
前記制御部は、前記入出金部から取り出されなかった前記取忘れ紙幣が有る場合、前記取忘れ紙幣を一時保留部に搬送させ、前記一時保留部に不明券が有るか否かを判定し、前記一時保留部に不明券が無い場合、前記一時保留部の紙幣を前記取込み庫に搬送させる、
請求項１に記載の自動取引装置。
【請求項４】
前記制御部は、前記入出金部から取り出されなかった前記取忘れ紙幣が有る場合、前記一時保留部の紙幣を前記入出金部に搬送させ、前記入出金部に収納されている紙幣を一時保留部に搬送させ、前記一時保留部に不明券が有るか否かを判定する、
請求項３に記載の自動取引装置。
【請求項５】
前記制御部は、前記一時保留部に不明券が有る場合、前記一時保留部の紙幣を前記入出金部に搬送させる、
請求項３に記載の自動取引装置。
【請求項６】
前記制御部は、前記一時保留部に不明券が有る場合、所定の障害発生時処理の実行を制御する、
請求項３に記載の自動取引装置。
【請求項７】
前記制御部は、前記入出金部から取り出されなかった前記取忘れ紙幣が有る場合、前記取込み庫内に残留紙幣が有るか否かを判定し、前記取込み庫内に残留紙幣が無い場合、前記紙幣に不明券が有るか否かを判定せずに、前記入出金部から取り出されなかった前記取忘れ紙幣を前記取込み庫に搬送させる、
請求項１に記載の自動取引装置。
【請求項８】
前記制御部は、前記取込み庫内に残留紙幣が有る場合、前記入出金部から取り出されなかった前記取忘れ紙幣に不明券が有るか否かを判定する、
請求項１に記載の自動取引装置。
【請求項９】
前記制御部は、前記入出金部から取り出されなかった前記取忘れ紙幣が有る場合、前記取込み庫内に不明券が有るか否かを判定し、前記取込み庫内に不明券が有る場合、前記取り忘れ紙幣に不明券が有るか否かを判定せずに、所定の障害発生時処理の実行を制御する、
請求項１に記載の自動取引装置。
【請求項１０】
前記制御部は、前記取込み庫内に不明券が無い場合、前記入出金部から取り出されなかった前記取忘れ紙幣に不明券が有るか否かを判定する、
請求項１に記載の自動取引装置。
【発明の詳細な説明】
【技術分野】
【０００１】
本発明は、自動取引装置に関する。
【背景技術】
【０００２】
近年、金融機関（例えば、銀行など）やコンビニエンスストアに設置され、不特定多数の利用者によって操作される自動取引装置が知られている。自動取引装置の例としては、ＡＴＭ（Ａｕｔｏｍａｔｅｄ  Ｔｅｌｌｅｒ  Ｍａｃｈｉｎｅ）などが挙げられる。かかる自動取引装置において、入金時に返却された入金返却紙幣、入金時にリジェクトされた入金リジェクト紙幣または出金時に排出される出金紙幣が、（例えば、利用者による取り忘れが原因となって）利用者によって取り出されない場合がある（以下、利用者によって取り出されなかった紙幣を「取忘れ紙幣」とも言う。）。
【０００３】
かかる取忘れ紙幣は、入出金部から取り込まれ、取込み紙幣として取込み庫に搬送される。このとき、入出金部に残留している１または複数の取忘れ紙幣は、１回分の取込み紙幣として、取込み庫に搬送される。ここで、複数回分の取込み紙幣が取込み庫に混在した場合、取込み庫に収納されている１または複数の取込み紙幣から、１回分の取込み紙幣を確定させるのが困難である場合がある。
【０００４】
そこで、取込み庫に収納されている取込み紙幣から、１回分の取込み紙幣が確定可能にするための技術が開示されている。例えば、利用者による取り忘れが発生するたびに、取忘れ紙幣の表裏の向きを逆にして取込み庫に搬送する技術が開示されている（例えば、特許文献１参照）。かかる技術によれば、取込み庫に収納されている取込み紙幣のうち、表裏の向きが連続して揃っている取込み紙幣は、１回分の取込み紙幣として確定させることが可能である。
【先行技術文献】
【特許文献】
【０００５】
【特許文献１】特開平９−２７０６０号公報
【発明の概要】
【発明が解決しようとする課題】
【０００６】
しかしながら、かかる技術によれば、取忘れ紙幣に不明券が混ざっている場合や、取忘れ紙幣に重走が生じた場合などには、取忘れ紙幣の一部または全部に対して正しく認識が行われない場合があり得る。かかる場合には、１回分の取込み紙幣の表裏の向きを揃えることが困難である。また、かかる場合には、正しく認識が行われなかった取忘れ紙幣の券種および記番号も認識されないため、券種および記番号に基づいて１回分の取込み紙幣を確定させるのも困難である。
【０００７】
そこで、取込み庫に収納される取込み紙幣の管理を容易にするための技術が提供されることが望まれる。
【課題を解決するための手段】
【０００８】
上記問題を解決するために、本発明のある観点によれば、入金時に返却された入金返却紙幣、入金時にリジェクトされた入金リジェクト紙幣または出金時に排出される出金紙幣を収納する入出金部と、前記入金返却紙幣、前記入金リジェクト紙幣または前記出金紙幣のうち前記入出金部から取り出されなかった取忘れ紙幣を収納可能な取込み庫と、前記入出金部から取り出されなかった前記取忘れ紙幣が有る場合、前記取忘れ紙幣に不明券が有るか否かを判定し、前記取忘れ紙幣に不明券が無い場合、前記取忘れ紙幣を前記取込み庫に搬送させる制御部と、を備える、自動取引装置が提供される。
【０００９】
前記制御部は、前記取忘れ紙幣に不明券が有る場合、所定の障害発生時処理の実行を制御してよい。
【００１０】
前記制御部は、前記入出金部から取り出されなかった前記取忘れ紙幣が有る場合、前記取忘れ紙幣を一時保留部に搬送させ、前記一時保留部に不明券が有るか否かを判定し、前記一時保留部に不明券が無い場合、前記一時保留部の紙幣を前記取込み庫に搬送させてよい。
【００１１】
前記制御部は、前記入出金部から取り出されなかった前記取忘れ紙幣が有る場合、前記一時保留部の紙幣を前記入出金部に搬送させ、前記入出金部に収納されている紙幣を一時保留部に搬送させ、前記一時保留部に不明券が有るか否かを判定してよい。
【００１２】
前記制御部は、前記一時保留部に不明券が有る場合、前記一時保留部の紙幣を前記入出金部に搬送させてよい。
【００１３】
前記制御部は、前記一時保留部に不明券が有る場合、所定の障害発生時処理の実行を制御してよい。
【００１４】
前記制御部は、前記入出金部から取り出されなかった前記取忘れ紙幣が有る場合、前記取込み庫内に残留紙幣が有るか否かを判定し、前記取込み庫内に残留紙幣が無い場合、前記紙幣に不明券が有るか否かを判定せずに、前記入出金部から取り出されなかった前記取忘れ紙幣を前記取込み庫に搬送させてよい。
【００１５】
前記制御部は、前記取込み庫内に残留紙幣が有る場合、前記入出金部から取り出されなかった前記取忘れ紙幣に不明券が有るか否かを判定してよい。
【００１６】
前記制御部は、前記入出金部から取り出されなかった前記取忘れ紙幣が有る場合、前記取込み庫内に不明券が有るか否かを判定し、前記取込み庫内に不明券が有る場合、前記取り忘れ紙幣に不明券が有るか否かを判定せずに、所定の障害発生時処理の実行を制御してよい。
【００１７】
前記制御部は、前記取込み庫内に不明券が無い場合、前記入出金部から取り出されなかった前記取忘れ紙幣に不明券が有るか否かを判定してよい。
【発明の効果】
【００１８】
以上説明したように本発明によれば、取込み庫に収納される取込み紙幣の管理を容易にするための技術が提供される。
【図面の簡単な説明】
【００１９】
【図１】自動取引装置の構成を示す斜視図である。
【図２】紙幣入出金機の構成を示す右側面図である。
【図３】紙幣入出金機の制御構成を示すブロック図である。
【図４】本発明の第１の実施形態に係る自動取引装置の動作例を示すフローチャートである。
【図５】本発明の第２の実施形態に係る自動取引装置の動作例を示すフローチャートである。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
また、本明細書および図面において、実質的に同一または類似の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２２】
（１．第１の実施形態）
まず、本発明の第１の実施形態について説明する。
【００２３】
（１−１．自動取引装置の構成）
図１を参照しながら、本発明の第１の実施形態に係る自動取引装置の構成例について説明する。図１は、自動取引装置の構成を示す斜視図である。図１に示すように、自動取引装置１は、箱状の筐体を中心に構成されており、例えば、金融機関やコンビニエンスストアなどに設置され、利用者（以下、「顧客」とも言う。）との間で入金取引や出金取引などの現金に関する取引を行うようになされている。
【００２４】
筐体は、その前側に顧客が対峙した状態で紙幣の投入やタッチパネルによる操作などをしやすい箇所（すなわち、前面の上部から上面に渡る部分）が斜めに切り落とされたような形状となっており、この部分に接客部３が設けられている。
【００２５】
接客部３には、カード入出口４、入出金口５、操作表示部６、テンキー７およびレシート発行口８が設けられており、接客部３は、顧客との間で現金や通帳などを直接やり取りすると共に、取引に関する情報の通知や操作指示の受け付けを行うようになされている。
【００２６】
カード入出口４は、キャッシュカードなどの各種カードが挿入または排出される部分である。カード入出口４の奥側には、各種カードに磁気記録された口座番号などの読み取りを行うカード処理部（図示せず）が設けられている。
【００２７】
入出金口５は、顧客が入金する紙幣が投入されると共に、顧客へ出金する紙幣が排出される部分である。また、入出金口５は、シャッタを駆動することにより開放または閉鎖するようになされている。
【００２８】
操作表示部６は、取引に際して操作画面を表示するＬＣＤ（Ｌｉｑｕｉｄ  Ｃｒｙｓｔａｌ  Ｄｉｓｐｌａｙ）と、取引の種類の選択、暗証番号や取引金額などを入力するタッチパネルとが一体化されている。
【００２９】
テンキー７は、「０」〜「９」の数字などの入力を受け付ける物理キーであり、暗証番号や取引金額などの入力操作時に用いられる。
【００３０】
レシート発行口８は、取引処理の終了時に取引内容などを印字したレシートを発行する部分である。レシート発行口８の奥側には、レシートに取引内容などを印字するレシート処理部（図示せず）が設けられている。
【００３１】
筐体内には、自動取引装置１の全体を統括制御する主制御部９や、紙幣に関する種々の処理を行う紙幣入出金機１０などが設けられている。
【００３２】
以下では、自動取引装置１のうち顧客が対峙する側を前側とし、その反対を後側とし、当該前側に対峙した顧客から見て左および右をそれぞれ左側および右側とし、さらに上側および下側を定義して説明する。
【００３３】
以上、本発明の第１の実施形態に係る自動取引装置１の構成例について説明した。
【００３４】
（１−２．紙幣入出金機の内部構成）
続いて、本発明の第１の実施形態に係る紙幣入出金機１０の内部構成例について説明する。図２は、紙幣入出金機１０の構成を示す右側面図である。図３は、紙幣入出金機１０の制御構成を示すブロック図である。図２および図３に示すように、紙幣入出金機１０は、制御部１２が各部（紙幣入出金部１６、搬送部２４、鑑別部１８、一時保留部２０、紙幣収納庫２６（２６ａ、２６ｂ、２６ｃおよび２６ｄ）、リジェクト庫２８、取込み庫２２および損券収納庫３０）を統括制御する。
【００３５】
制御部１２は、図示しないＣＰＵ（Ｃｅｎｔｒａｌ  Ｐｒｏｃｅｓｓｉｎｇ  Ｕｎｉｔ）を中心に構成されており、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブやフラッシュメモリなどでなる記憶部１４から所定のプログラムを読み出して実行することにより、各部を制御して入金取引や出金取引や記番号確認処理などの種々の処理を行う。また、記憶部１４は、鑑別部１８が鑑別した結果や、紙幣を計数した枚数や、紙幣の記番号などを記憶する。
【００３６】
紙幣入出金機１０の内部には、上側に紙幣入出金部１６、紙幣の金種や真偽を判定し記番号を読み取る鑑別部１８および入金紙幣等を一時的に保留する一時保留部２０などが設けられている。
【００３７】
紙幣入出金部１６は、紙幣を集積して収納する収納空間を有しており、当該収納空間内において前後方向に移動可能なビルプレス３２と、当該収納空間内に一部が突出する繰出ローラ３４とが設けられている。ビルプレス３２と繰出ローラ３４との間の空間、すなわちビルプレス３２の前側の空間は、入出金口５から投入された紙幣や出金取引時に顧客へ払い出す紙幣を収納する。ビルプレス３２の後側の空間は紙幣返却部３６であり、顧客によって投入された紙幣のうち、鑑別部１８において偽券または金種不明と鑑別されたリジェクト紙幣を集積する。紙幣入出金部１６は、顧客から投入された紙幣をビルプレス３２によって繰出ローラ３４に押圧し、当該繰出ローラ３４を回転させることにより、紙幣を１枚ずつ分離し搬送部２４へ繰り出す。
【００３８】
搬送部２４は、図示しないローラやベルトなどにより、図中太線で示す搬送路に沿って長方形の紙幣を短手方向に搬送する。また、搬送部２４の各所には光学式センサなどで構成されたセンサ３８が複数設けられており、搬送されている紙幣の検知、重送や搬送ジャムなどの搬送エラーの検知などを行い、その検出結果を制御部１２（図１）へ通知する。
【００３９】
制御部１２は、当該検出結果に基づいて紙幣の枚数を計数する。搬送部２４は、鑑別部１８を前後方向に挿通させるように紙幣を搬送し、当該鑑別部１８の後側と一時保留部２０、紙幣入出金部１６、紙幣収納庫２６、損券収納庫３０、取込み庫２２およびリジェクト庫２８とをそれぞれ接続している。また、搬送部２４は、鑑別部１８の前側と一時保留部２０、紙幣入出金部１６、紙幣収納庫２６、損券収納庫３０、取込み庫２２およびリジェクト庫２８とをそれぞれ接続している。
【００４０】
鑑別部１８は、その内部で紙幣を搬送しながら、光学素子や磁気検出素子などを用いて当該紙幣の金種および真偽、ならびに損傷の程度等（正損）を鑑別し、その鑑別結果を制御部１２へ通知する。また、鑑別部１８は、記番号読取部１９により、撮像した紙幣の画像データから、紙幣毎に付与されその紙幣の一面に予め印刷された、紙幣を識別する英数字などで構成された情報である記番号を読み取ると共に、内部を搬送させた紙幣の枚数を計数し、読取結果及び計数結果を制御部１２へ通知するようにもなされている。これに応じて制御部１２は、取得した鑑別結果に基づいて当該紙幣の搬送先を決定する。
【００４１】
一時保留部２０は、入金時に顧客が紙幣入出金部１６へ投入した紙幣を一時的に保留し、鑑別部１８で入金可能と鑑別された正常紙幣を入金が確定するまで一時的に保留する一方、入金不可と鑑別されたリジェクト紙幣を、紙幣入出金部１６へ排出する。また、一時保留部２０は、後述する記番号確認処理時において、精査する対象である紙幣を収納している紙幣収納庫２６である精査対象収納庫から他の紙幣収納庫２６へ紙幣を移動させる際にも一時的に当該紙幣を保留する。
【００４２】
また、紙幣入出金機１０の内部には、下側に金種別の紙幣収納庫２６と、鑑別部１８においてリジェクト紙幣と鑑別された紙幣を収納する損券収納庫３０と、取引時に顧客が紙幣入出金部１６から取り忘れた紙幣を回収して収納する取込み庫２２と、５千券や２千券等の還流されない金種の紙幣を格納するリジェクト庫２８とが設けられている。
【００４３】
紙幣収納庫２６は、複数の紙幣収納庫２６ａ〜２６ｄが前後方向に並んで配置されており、上方向に引き抜かれることによりそれぞれ筐体から着脱可能な着脱式となっている。また、紙幣収納庫２６は、収納排出機構により、搬送部２４から搬送されてきた紙幣を取り込んで収納すると共に、収納されている紙幣を排出して搬送部２４へ供給するようになされている。
【００４４】
以上、本発明の第１の実施形態に係る紙幣入出金機１０の内部構成例について説明した。
【００４５】
（１−３．自動取引装置の機能詳細）
続いて、図１〜図３を参照しながら、本発明の第１の実施形態に係る自動取引装置１の機能詳細について説明する。本発明の第１の実施形態において、紙幣入出金部１６は、入金時に返却された紙幣（以下、「入金返却紙幣」とも言う。）、入金時にリジェクトされた紙幣（以下、「入金リジェクト紙幣」とも言う。）または出金時に排出される紙幣（以下、「出金紙幣」とも言う。）を収納する。より具体的には、入金返却紙幣は、入金時に顧客によって入金キャンセル操作が入力された場合に返却される紙幣であってよい。入金リジェクト紙幣は、入金時に鑑別部１８において偽券または金種不明と鑑別されたリジェクト紙幣であってよい。
【００４６】
また、以下では、鑑別部１８によって読み取りが失敗した紙幣、および、鑑別部１８によって偽券と鑑別された紙幣を「不明券」と言う。取込み庫２２は、入金返却紙幣、入金リジェクト紙幣または出金紙幣のうち紙幣入出金部１６から取り出されなかった取忘れ紙幣を収納可能である。
【００４７】
そして、制御部１２は、紙幣入出金部１６から取り出されなかった取忘れ紙幣が有る場合、取忘れ紙幣に不明券が有るか否かを判定する。制御部１２は、取忘れ紙幣に不明券が無い場合、取忘れ紙幣を取込み庫２２に搬送させる。これによって、取込み庫２２に収納される取忘れ紙幣には不明券が無くなるため（取込み庫２２に収納される取忘れ紙幣はすべて券種が確定しているため）、取込み庫２２に収納される取込み紙幣の管理を容易にすることが可能となる。
【００４８】
また、取込み庫２２に搬送された取込み紙幣の券種および記番号は、記憶部１４に保存されてよい。そうすれば、取込み庫２２から紙幣が回収される場合に、取込み庫２２から回収された紙幣の券種および記番号と、記憶部１４に保存されている券種および記番号とを照合することによって、取込み紙幣を管理することが可能である。なお、記憶部１４に保存されている券種および記番号は、取込み庫２２から一部の紙幣が回収されただけではクリアされず、取込み庫２２から全部の紙幣が回収された場合にクリアされてもよい。
【００４９】
一方、制御部１２は、取忘れ紙幣に不明券が有る場合、取忘れ紙幣を取込み庫２２に搬送させずに、所定の障害発生時処理の実行を制御すればよい。ここで、障害発生時処理は、特に限定されない。例えば、障害発生時処理は、操作表示部６に障害発生を示す障害発生画面を表示させる処理を含んでもよいし、行員に障害発生を示す障害発生通知を行う処理を含んでもよい。例えば、障害発生通知は、行員が使用している監視用のＰＣ（Ｐｅｒｓｏｎａｌ  Ｃｏｍｐｕｔｅｒ）による表示によってなされてもよい。
【００５０】
また、取忘れ紙幣に不明券があるか否かは、一時保留部２０に搬送された上で、一時保留部２０に存在するときに判定されてもよい。すなわち、制御部１２は、紙幣入出金部１６から取り出されなかった取忘れ紙幣が有る場合、取忘れ紙幣を一時保留部２０に搬送させてよい。そして、制御部１２は、一時保留部２０に不明券が有るか否かを判定してよい。制御部１２は、一時保留部２０に不明券が無い場合、一時保留部２０の紙幣を取込み庫２２に搬送させればよい。
【００５１】
また、上記と同様に、取込み庫２２に搬送された取込み紙幣の券種および記番号は、記憶部１４に保存されてよい。そうすれば、取込み庫２２から紙幣が回収される場合に、取込み庫２２から回収された紙幣の券種および記番号と、記憶部１４に保存されている券種および記番号とを照合することによって、取込み紙幣を管理することが可能である。
【００５２】
一方、制御部１２は、一時保留部２０に不明券が有る場合、一時保留部２０の紙幣を紙幣入出金部１６に搬送させればよい。紙幣入出金部１６に搬送された紙幣は、顧客によって取り出され得る。さらに、制御部１２は、一時保留部２０に不明券が有る場合、所定の障害発生時処理の実行を制御してよい。障害発生時処理は、上記した通りに実行されてよい。
【００５３】
また、制御部１２は、紙幣入出金部１６から取り出されなかった取忘れ紙幣が有る場合、取忘れ紙幣に不明券が有るか否かを判定する前に、取込み庫２２の中に不明券が有るか否かを判定してもよい。そして、制御部１２は、取込み庫２２の中に不明券が有る場合、取忘れ紙幣に不明券が有るか否かを判定せずに、所定の障害発生時処理の実行を制御してもよい。障害発生時処理は、上記した通りに実行されてよい。
【００５４】
これによって、取込み庫２２の中に不明券が有るとしても、取込み庫２２の中に有る紙幣は、１回分の取込み紙幣となる。したがって、取込み庫２２の中に不明券が有るとしても、取込み庫２２の中に有る紙幣から、１回分の取込み紙幣を容易に確定させることが可能となる。一方、制御部１２は、取込み庫２２の中に不明券が無い場合、取忘れ紙幣に不明券が有るか否かを判定すればよい。
【００５５】
また、制御部１２は、紙幣入出金部１６から取り出されなかった取忘れ紙幣が有る場合、取忘れ紙幣に不明券が有るか否かを判定する前に（あるいは、取込み庫２２の中に不明券が有るか否かを判定する前に）、取込み庫２２の中に残留紙幣が有るか否かを判定してもよい。そして、制御部１２は、取込み庫２２の中に残留紙幣が無い場合、紙幣に不明券が有るか否かを判定せずに（あるいは、取込み庫２２の中に不明券が有るか否かを判定せずに）、取忘れ紙幣を取込み庫２２に搬送させてもよい。
【００５６】
かかる構成によれば、取忘れ紙幣が１回目に発生した場合には、取忘れ紙幣に不明券が有るか否かに関わらず、取忘れ紙幣が取込み庫２２に搬送される。したがって、取込み庫２２への取忘れ紙幣の搬送の効率化が図られる。
【００５７】
なお、取込み庫２２の中に残留紙幣が有るか否かは、取込み庫２２の中の紙幣を検出可能なセンサ（例えば、光学センサなど）による検出結果に基づいて判定可能であってよい。
【００５８】
また、上記と同様に、取込み庫２２に搬送された取込み紙幣の券種および記番号は、記憶部１４に保存されてよい。そうすれば、取込み庫２２から紙幣が回収される場合に、取込み庫２２から回収された紙幣の券種および記番号と、記憶部１４に保存されている券種および記番号とを照合することによって、取込み紙幣を管理することが可能である。
【００５９】
一方、制御部１２は、取込み庫２２の中に残留紙幣が有る場合、取忘れ紙幣に不明券が有るか否かを判定すればよい。
【００６０】
以上、本発明の第１の実施形態に係る紙幣入出金機１０の機能詳細について説明した。
【００６１】
（１−４．自動取引装置の動作例）
続いて、本発明の第１の実施形態に係る自動取引装置１の動作例について説明する。図４は、本発明の第１の実施形態に係る自動取引装置１の動作例を示すフローチャートである。なお、図４に示された例は、取忘れ紙幣が発生したときに、一時保留部２０に紙幣が存在しない場合を主に想定している。すなわち、図４に示された例は、出金紙幣または入金返却紙幣が紙幣入出金部１６に収納されている場合を想定する。しかし、図４に示された例は、かかる場合に限定されない。
【００６２】
制御部１２は、取忘れ紙幣の発生が検出されると、取込み処理を開始し（Ｓ１１０）、取込み庫２２の中に残留紙幣が有るか否かを判定する（Ｓ１１１）。制御部１２は、取込み庫２２の中に残留紙幣が無い場合には（Ｓ１１１において「Ｎｏ」）、Ｓ１１２に動作を移行させる。一方、制御部１２は、取込み庫２２の中に残留紙幣が有る場合には（Ｓ１１１において「Ｙｅｓ」）、取込み庫２２の中に不明券が有るか否かを判定する（Ｓ１２１）。
【００６３】
続いて、制御部１２は、取込み庫２２の中に不明券が有る場合には（Ｓ１２１において「Ｙｅｓ」）、Ｓ１３２に動作を移行させる。一方、制御部１２は、取込み庫２２の中に不明券が無い場合には（Ｓ１２１において「Ｎｏ」）、取込み紙幣を一時保留部２０に搬送させ（Ｓ１２２）、一時保留部２０に不明券が有るか否かを判定する（Ｓ１２３）。制御部１２は、一時保留部２０に不明券が有る場合（Ｓ１２３において「Ｙｅｓ」）、取込み紙幣を紙幣入出金部１６に搬送させ（Ｓ１３１）、動作をＳ１３２に移行させる。一方、制御部１２は、一時保留部２０に不明券が無い場合（Ｓ１２３において「Ｎｏ」）、Ｓ１１２に動作を移行させる。
【００６４】
Ｓ１１２に動作が移行された場合、制御部１２は、取込み紙幣を取込み庫２２に搬送させ（Ｓ１１２）、取込み紙幣の券種と記番号とを記憶部１４に保存させ（Ｓ１１３）、処理を正常終了させる（Ｓ１１４）。一方、Ｓ１３２に動作が移行された場合、制御部１２は、障害発生時処理の実行を制御し（Ｓ１３２）、処理を終了させる（Ｓ１３３）。
【００６５】
以上、本発明の第１の実施形態に係る自動取引装置１の動作例について説明した。
【００６６】
（２．第２の実施形態）
続いて、本発明の第２の実施形態について説明する。以下では、本発明の第２の実施形態のうち、上記した本発明の第１の実施形態と同様な構成については説明を省略し、上記した本発明の第１の実施形態と異なる構成について主に説明する。
【００６７】
（２−１．自動取引装置の機能詳細）
図１〜図３を参照しながら、本発明の第２の実施形態に係る自動取引装置１の機能詳細について説明する。本発明の第１の実施形態においては、取忘れ紙幣が発生したときに、一時保留部２０に紙幣が存在しない場合を主に想定した。本発明の第２の実施形態においては、取忘れ紙幣が発生したときに、一時保留部２０に紙幣が既に存在する可能性があることを考慮する。
【００６８】
そこで、本発明の第２の実施形態においては、制御部１２は、紙幣入出金部１６から取り出されなかった取忘れ紙幣が有る場合、一時保留部２０の紙幣を紙幣入出金部１６に搬送させる。そして、制御部１２は、紙幣入出金部１６に収納されている紙幣（すなわち、一時保留部２０から搬送された紙幣および取忘れ紙幣）を一時保留部２０に搬送させ、一時保留部２０に不明券が有るか否かを判定する。制御部１２は、一時保留部２０に不明券が無い場合、一時保留部２０の紙幣を取込み庫２２に搬送させればよい。
【００６９】
一方、制御部１２は、一時保留部２０に不明券が有る場合、一時保留部２０の紙幣を紙幣入出金部１６に搬送させればよい。紙幣入出金部１６に搬送された紙幣は、顧客によって取り出され得る。さらに、制御部１２は、一時保留部２０に不明券が有る場合、所定の障害発生時処理の実行を制御してよい。障害発生時処理は、本発明の第１の実施形態において既に説明した通りに実行されてよい。
【００７０】
かかる構成によれば、取忘れ紙幣が発生したときに、一時保留部２０に既に存在した紙幣に不明券が有るか否かも判定され得る。これによって、不明券が存在するか否かの確認をより広範囲に行うことが可能となる。
【００７１】
以上、本発明の第２の実施形態に係る自動取引装置１の機能詳細について説明した。
【００７２】
（２−２．自動取引装置の動作例）
続いて、本発明の第２の実施形態に係る自動取引装置１の動作例について説明する。図５は、本発明の第２の実施形態に係る自動取引装置１の動作例を示すフローチャートである。なお、図５に示された例は、取忘れ紙幣が発生したときに、一時保留部２０に既に紙幣が存在する可能性がある場合を主に想定している。すなわち、図５に示された例は、入金リジェクト紙幣が紙幣入出金部１６に収納されている場合を想定する。しかし、図５に示された例は、かかる場合に限定されない。
【００７３】
制御部１２は、取忘れ紙幣の発生が検出されると、取込み処理を開始し（Ｓ１１０）、取込み庫２２の中に残留紙幣が有るか否かを判定する（Ｓ１１１）。制御部１２は、取込み庫２２の中に残留紙幣が無い場合には（Ｓ１１１において「Ｎｏ」）、Ｓ１１２に動作を移行させる。一方、制御部１２は、取込み庫２２の中に残留紙幣が有る場合には（Ｓ１１１において「Ｙｅｓ」）、取込み庫２２の中に不明券が有るか否かを判定する（Ｓ１２１）。
【００７４】
続いて、制御部１２は、取込み庫２２の中に不明券が有る場合には（Ｓ１２１において「Ｙｅｓ」）、Ｓ１３２に動作を移行させる。一方、制御部１２は、取込み庫２２の中に不明券が無い場合には（Ｓ１２１において「Ｎｏ」）、一時保留部２０の紙幣を紙幣入出金部１６に一旦搬送させ（Ｓ１４１）、取込み紙幣（および一時保留部２０から搬送された紙幣）を一時保留部２０に搬送させ（Ｓ１２２）、一時保留部２０に不明券が有るか否かを判定する（Ｓ１２３）。制御部１２は、一時保留部２０に不明券が有る場合（Ｓ１２３において「Ｙｅｓ」）、取込み紙幣を紙幣入出金部１６に搬送させ（Ｓ１３１）、動作をＳ１３２に移行させる。一方、制御部１２は、一時保留部２０に不明券が無い場合（Ｓ１２３において「Ｎｏ」）、Ｓ１１２に動作を移行させる。
【００７５】
Ｓ１１２に動作が移行された場合、制御部１２は、取込み紙幣を取込み庫２２に搬送させ（Ｓ１１２）、取込み紙幣の券種と記番号とを記憶部１４に保存させ（Ｓ１１３）、処理を正常終了させる（Ｓ１１４）。一方、Ｓ１３２に動作が移行された場合、制御部１２は、障害発生時処理の実行を制御し（Ｓ１３２）、処理を終了させる（Ｓ１３３）。
【００７６】
以上、本発明の第２の実施形態に係る自動取引装置１の動作例について説明した。
【００７７】
（３．まとめ）
本発明の実施形態によれば、紙幣入出金部１６は、入金返却紙幣、入金リジェクト紙幣または出金紙幣を収納する。取込み庫２２は、入金返却紙幣、入金リジェクト紙幣または出金紙幣のうち紙幣入出金部１６から取り出されなかった取忘れ紙幣を収納可能である。そして、制御部１２は、紙幣入出金部１６から取り出されなかった取忘れ紙幣が有る場合、取忘れ紙幣に不明券が有るか否かを判定する。制御部１２は、取忘れ紙幣に不明券が無い場合、取忘れ紙幣を取込み庫２２に搬送させる。
【００７８】
これによって、取込み庫２２に収納される取忘れ紙幣には不明券が無くなるため（取込み庫２２に収納される取忘れ紙幣はすべて券種が確定しているため）、取込み庫２２に収納される取込み紙幣の管理を容易にすることが可能となる。
【００７９】
また、制御部１２は、紙幣入出金部１６から取り出されなかった取忘れ紙幣が有る場合、取忘れ紙幣に不明券が有るか否かを判定する前に、取込み庫２２の中に不明券が有るか否かを判定してもよい。そして、制御部１２は、取込み庫２２の中に不明券が有る場合、取忘れ紙幣に不明券が有るか否かを判定せずに、所定の障害発生時処理の実行を制御してもよい。
【００８０】
これによって、取込み庫２２の中に不明券が有るとしても、取込み庫２２の中に有る紙幣は、１回分の取込み紙幣となる。したがって、取込み庫２２の中に不明券が有るとしても、取込み庫２２の中に有る紙幣から、１回分の取込み紙幣を容易に確定させることが可能となる。
【００８１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８２】
１      自動取引装置
３      接客部
４      カード入出口
５      入出金口
６      操作表示部
７      テンキー
８      レシート発行口
９      主制御部
１０    紙幣入出金機
１２    制御部
１４    記憶部
１６    紙幣入出金部
１８    鑑別部
１９    記番号読取部
２０    一時保留部
２２    取込み庫
２４    搬送部
２６    紙幣収納庫
２８    リジェクト庫
３０    損券収納庫
３２    ビルプレス
３４    繰出ローラ
３６    紙幣返却部
３８    センサ
【図１】
2019139632.tif 000003
【図２】
2019139632.tif 000004
【図３】
2019139632.tif 000005
【図４】
2019139632.tif 000006
【図５】
2019139632.tif 000007